(57)【要約】【課題】フィルタを設けると共にフィルタに設けられている貫通孔を確実に塞ぐことのできるキャップ押さえを備えることで、室内に外気を給気する際の塵芥等の侵入を確実に防ぐことのできる給気シャッターを提供する。【解決手段】通気口を備える本体２と、本体２を覆う本体カバー３と、本体カバー３の裏面に通風可能に配置されるフィルタ７と、本体カバー３を覆うパネル４と、通気口を閉鎖状態とするようにパネル４を本体カバー３に当接させる方向に付勢する付勢部材１２と、一端がフィルタ７を貫通して本体カバー３に固定され付勢部材１２を収納するキャップ５と、キャップ５の他端に連結されるキャップ押さえ６と、キャップ押さえ６に当接しパネル４を本体カバー３から離反する方向に移動させる操作部材１０とを備え、キャップ押さえ６はパネル４が本体２から離反する方向に移動する際にフィルタ７の貫通孔７ａを塞ぐ。【選択図】図６
2010249368.tif 000002
【特許請求の範囲】
【請求項１】
外気を室内に導入する通気口を備える本体と、
前記本体を前面から覆う本体カバーと、
前記本体カバーの裏面に通風可能に配置されるフィルタと、
前記本体カバーの前面を覆うパネルと、
前記通気口を閉鎖状態とするように、前記パネルを前記本体カバーに当接させる方向に付勢する付勢部材と、
その一端が前記フィルタを貫通して前記本体カバーに固定され、前記付勢部材を収納するキャップと、
前記キャップの他端に連結されるキャップ押さえと、
前記キャップ押さえに当接し、前記パネルを前記本体カバーから離反する方向に移動させて前記通気口を開放させる操作部材と、を備え、
前記キャップ押さえは、前記操作部材により前記パネルが前記本体から離反する方向に移動する際に前記フィルタの貫通孔を塞ぐことを特徴とする給気シャッター。
【請求項２】
前記フィルタは、不織布にて形成されていることを特徴とする請求項１に記載の給気シャッター。
【請求項３】
前記操作部材は、パネル開閉用モータにより駆動されることを特徴とする請求項１または請求項２に記載の給気シャッター。
【請求項４】
前記本体カバー裏面には、載置される前記フィルタの周囲を囲む本体カバー側リブが形成されており、本体カバー側リブは、前記本体カバーが前記本体と連結される際、前記本体の前記本体カバーとの連結面周囲に設けられたシール材を押圧することを特徴とする請求項１ないし請求項３のいずれかに記載の給気シャッター。
【発明の詳細な説明】
【技術分野】
【０００１】
本発明は、建物外から室内へと給気を行う給気シャッターに関する。
【背景技術】
【０００２】
従来、一般家庭用の給気シャッターとしては、台所などに取り付けられ、レンジフードの動作に合わせて室内外間のシャッターを開くことで負圧となった室内に自動的に外気が給気されるようになっている。この給気シャッターでは、室内側の開口は常に開放しており、内部のダンパーをシャッターとして開閉することで通気の開閉を行うものがあるが、
このような構成では、室内側の開口が常に室内から見えてしまうため、美観上好ましくない。
【０００３】
そこで、以下に示す特許文献１に開示される換気扇（パイプファン）に関する発明のように、化粧枠の前面部に前後方向に移動可能に設けられ、その前後方向の移動により化粧枠の通気口を開閉する開閉体を備えた給気シャッターがある。このような構成を採用することによって、通気口の閉鎖時、すなわち、運転停止時には室内側の通気口を確実に閉鎖して見栄えをよくすることができる。
【先行技術文献】
【特許文献】
【０００４】
【特許文献１】特開平８−１２８６９０号公報
【発明の概要】
【発明が解決しようとする課題】
【０００５】
しかしながら、上述の特許文献１に開示されている発明は、室内の空気を屋外に廃棄するパイプファンであり、給気シャッターとして必要な以下の点が考慮されていない。
【０００６】
すなわち、通気口にフィルタが全く設けられていない。このような構造では、開閉体が開き通気口を介して室外の空気を室内に吸気するとが移動するに際して、例えば、虫やほこりといった類（以下、これらをまとめて「塵芥等」と表わす）が室内に入り込んでしまう可能性は大いにある。
【０００７】
本発明は上記課題を解決するためになされたものであり、本発明の目的は、見栄えを良くするとともに室内に外気を給気する際の塵芥等の侵入を確実に防ぐことのできる給気シャッターを提供することである。
【課題を解決するための手段】
【０００８】
本発明の実施の形態に係る特徴は、給気シャッターにおいて、外気を室内へ導入する通気口を備える本体と、本体を前面から覆う本体カバーと、本体カバーの裏面に通風可能に配置されるフィルタと、本体カバーの前面を覆うパネルと、通気口を閉鎖状態とするように、パネルを本体カバーに当接させる方向に付勢する付勢部材と、その一端がフィルタを貫通して本体カバーに固定され、付勢部材を収納するキャップと、キャップの他端に連結されるキャップ押さえと、キャップ押さえに当接し、パネルを本体カバーから離反する方向に移動させて通気口を開放させる操作部材と、を備え、キャップ押さえは、操作部材によりパネルが本体から離反する方向に移動する際にフィルタの貫通孔を塞ぐ。
【発明の効果】
【０００９】
本発明によれば、室内外の通気の途中にフィルタを設けるとともにフィルタに設けられている貫通孔を確実に塞ぐことのできるキャップ押さえを備えることで、室内に外気を給気する際の塵芥等の侵入を確実に防ぎ、さらにはより効果的に外気侵入防止、遮音を図ることのできる給気シャッターを提供することができる。
【図面の簡単な説明】
【００１０】
【図１】本発明の実施の形態に係る給気シャッター（パネル閉状態）を示す全体図である。
【図２】本発明の実施の形態に係る給気シャッターの構成を示す分解斜視図である。
【図３】図１に示す給気シャッター（パネル閉状態）をＡ−Ａ線で切断して示す断面図である。
【図４】本発明の実施の形態に係る給気シャッターのうち、本体カバーを裏面から示した組み立て図である。
【図５】本発明の実施の形態に係る給気シャッター（パネル開状態）を示す全体図である。
【図６】図５に示す給気シャッター（パネル開状態）をＢ−Ｂ線で切断して示す断面図である。
【発明を実施するための形態】
【００１１】
以下、本発明の実施の形態について図面を参照して詳細に説明する。
【００１２】
図１は、本発明の実施の形態に係る給気シャッター１（パネル閉状態）を示す全体図である。図１では、給気シャッター１が壁Ｗに取り付けられている様子が示されている。図１では図示されていないが、壁Ｗを貫通する配管ダクトＤ（後述）に本体２の通気口２ａを嵌め込むように本体２を壁Ｗに取り付ける。
【００１３】
図２は、給気シャッター１の分解斜視図である。上述したように給気シャッター１は、壁Ｗに設置される本体２があり、その本体２を前面、すなわち室内側から覆う本体カバー３と、さらに本体カバー３の前面（室内側）を覆うパネル４が取り付けられる。なお、以下の説明においては、適宜、壁Ｗに垂直方向であって室内側の方向を「Ｘ方向」、室外側の方向を「Ｙ方向」と表わす。また、便宜的に給気シャッター１を構成する各部材のうち、室内側を「前面」、室外側を「裏面」とも表わす。
【００１４】
本体カバー３の前面、すなわち、パネル４の裏面と対向する面は、室内に給気する外気が通るための通気口３ａが略円形状に形成されている。また、通気口３ａの中心部には、本体カバー３の裏面側において後述する付勢部材を収納するキャップ５及びキャップ押さえ６とが取り付けられている。このキャップ５の一端はパネル４の裏面と連結されており、付勢部材によって平常状態においてパネル４が本体カバー３に当接した状態にされる。
【００１５】
本体カバー３の裏面には、フィルタ７が取り付けられる。このフィルタ７の略中心部にはキャップ５及びキャップ押さえ６を貫通させるための貫通孔７ａが形成されている。本体カバー３へのフィルタ７の取り付けに際しては、略台形形状に形成され、バネ性を持たせたワイヤー線でなるフィルタ押さえ８が用いられる。フィルタ押さえ８を本体カバー３の裏面に形成された図２では図示されない係止手段に嵌め込むことでフィルタ７を本体カバー３の裏面に押しつけ固定する。
【００１６】
前面にパネル４をキャップ５を介して連結し、その裏面にフィルタ押さえ８を介してフィルタ７を取り付けた本体カバー３を本体２に嵌め合わせる。図１は、この状態で壁Ｗに取り付けられた給気シャッター１を示している。
【００１７】
図３は、図１に示す給気シャッター（パネル閉状態）をＡ−Ａ線で切断して示す断面図である。図３に示すように、壁Ｗに貫通孔が設けられ、この貫通孔に配管ダクトＤが嵌め込まれている。本体２の通気口２ａがこの配管ダクトＤ内に入り込むように位置決めをして、本体２を壁Ｗに固定する。その上で、上述したように本体カバー３の裏面が本体２の前面を覆うように、本体２へ向けて本体カバー３をＸ方向からＹ方向へ移動させて嵌め合わせる。
【００１８】
なお、両者の固定については様々な方法を採用することができるが、本発明の実施の形態における給気シャッター１では、本体２上部に設けられた突起２ｂに本体カバー３の嵌め合わせ部材３ｂを嵌め合わせるとともに、本体２の下部において固定部材９ａを用いて本体カバー３と本体２とを固定している。
【００１９】
本体２には、図２及び図３に示すようにＹ方向に向けて配管ダクトＤ内に突出する通気口２ａが設けられている。台所のレンジフードなどの運転によって室内が室外よりも負圧の状態になると、外気がこの通気口２ａを通って室内に給気される。
【００２０】
通気口２ａに連続して形成される本体枠２ｃにはさらにＸ方向に向けて取付台２ｄが形成されている。また、取付台２ｄは、後述するパネル開閉用モータが配置される領域やその他機器を収納する領域を避けて本体２前面の略全周に亘って形成される。この取付台２ｄは、本体枠２ｃの強度向上を図るとともに、キャップ５やキャップ押さえ６、フィルタ７を装着した本体カバー３を嵌め合わせた場合に、キャップ５やキャップ押さえ６の収納空間を作出するために形成される。
【００２１】
さらに、この取付台２ｄの前面（Ｘ方向）全周に亘ってシール材２ｅが張り巡らされている。後述するように、本体２への本体カバー３の装着時においては、本体カバー３の本体カバー側リブがこのシール材２ｅに接触する。
【００２２】
図２に示されているように、本体２の取付台２ｄに囲まれる中央部には、給気シャッター１が取り付けられる壁Ｗと並行となるように操作部材１０が設けられている。操作部材１０には、その中央部にクランク部１０ａが形成されている。本体２に本体カバー３が嵌め合わされた場合に、このクランク部１０ａがキャップ押さえ６に当接する。操作部材１０は、図２に示されるパネル開閉用モータ１１によって駆動され、図２の実線の矢印に示すような向きに回転する。
【００２３】
本体カバー３は、図２に示されているように、略直方体の形状をしており、本体２と嵌め合わせられる面は全面が開口している。また、本体カバー３の前面には、上述したように通気口３ａが設けられている。その他の４面には開口部が設けられておらず、本体カバー３を本体２に固定することによって、壁Ｗとの間に隙間ができることはないので、本体２を確実に覆うことができ外気を室内へ給気しても塵芥等が室内へ入ることはない。
【００２４】
本体カバー３には、その裏面中央部においてキャップ５が取り付けられている。図３の断面図に示されているように、パネル４の裏面（本体カバー３の前面と対向する面）の中央部には凸部４ａが形成されている、この凸部４ａがキャップ５と嵌め合わされ、固定部材９ｂを用いて後述するようにキャップ押さえ６と併せて固定されている。
【００２５】
また、この凸部４ａの周囲にはコイルばねからなる付勢部材１２が設けられ、キャップ５内に付勢部材１２が収納される。付勢部材１２は、平常の状態においてパネル４を本体カバー３に当接させるように組み込まれており、パネル４は本体カバー３を覆った状態にされる。
【００２６】
キャップ５の一端は、図２に示すように、本体カバー３に固定される固定部５ａとパネル４の裏面に当たり、パネル４をＸ方向へと押し出す可動部５ｂとから構成される。固定部５ａは、キャップ５の一端中心部に設けられ、可動部５ｂは、固定部５ａと同軸上の外周部に設けられている。一方、キャップ５の他端には、キャップ押さえ６が連結されている。キャップ押さえ６とキャップ５との連結には、上述したように固定部材９ｂが用いられる。
【００２７】
図４は、本発明の実施の形態に係る給気シャッター１のうち、本体カバー３を裏面から示した組み立て図である。本体カバー３の裏面には、図２の分解斜視図において示したフィルタ７がフィルタ押さえ８によって固定されている。また、フィルタ７の中央部には貫通孔７ａが設けられており、この貫通孔７ａをキャップ５及びキャップ押さえ６が貫通している。図４においてはキャップ５は見えず、キャップ５の他端に固定部材９ｂを用いて連結されるキャップ押さえ６が表わされている。
【００２８】
さらに、フィルタ７の略全周に亘って本体カバー側リブ３ｃが形成されている。この本体カバー側リブ３ｃは、図３に示すように、本体２と本体カバー３とを嵌め合わせて固定した際に、本体２の略全周に亘って設けられたシール材２ｅを押圧する。これにより、本体２と本体カバー３との密着性が高まるとともに、外部からの塵芥等が室内に入り込むことを防止することができる。
【００２９】
フィルタ７は、給気シャッター１を動作（開放）させた場合に、室外から塵芥等が室内に入り込むことを防止するためのものである。従って、フィルタ７の素材としてはこれら塵芥等を取り除くことができればどのような素材を使用しても構わない。本発明の実施の形態においては、確実に室内への塵埃の侵入を防止するために細かい目で、約１ｃｍ程度の厚みのあるの不織布が採用される。なお、給気シャッター１が使用される状況に応じてフィルタ７の目の粗さを変化させることにより、塵芥等の侵入を適切に排除することができる。
【００３０】
次に、給気シャッター１の動作について図５及び図６を用いて説明する。平常状態、すなわち、室内への外気の給気動作が行われない状態では、給気シャッター１は図１に示すように、パネル４が本体カバー３に当接した状態にある。この状態においては、パネル４が本体カバー３の前面を覆っているので、外気が通気口２ａ，３ａを通って室内に給気されることはない。従って、より効果的に外気の侵入を防止することができるとともに、室外の騒音が室内に漏洩してくることもなく、遮音の効果も得られる。
【００３１】
給気動作が開始されると、図５に示すように、給気シャッター１のパネル４がＸ方向に移動し、パネル４が開状態となる。ここで、給気シャッター１の給気動作開始、すなわち、パネル開閉用モータ１１のＯＮは、直接給気シャッター１に動作開始を指令しても良く、また、レンジフード等他の機器の動作に連動させるようにしても良い。
【００３２】
図６は、図５に示すパネル開状態にある給気シャッター１をＢ−Ｂ線で切断して示す断面図である。図６に示されているように、パネル４に連結されているキャップ５及びキャップ押さえ６がＸ方向に移動されている。
【００３３】
すなわち、パネル４がＸ方向、すなわち、本体カバー３から離反する方向へと移動する動きは以下の通りである。まずパネル開閉用モータ１１が操作部材１０を回転させるとクランク部１０ａが上述したように図２に示す矢印の方向（Ｘ方向）に移動し、このクランク部１０ａが接するキャップ押さえ６がＸ方向に移動する。キャップ押さえ６はキャップ５の他端に固定されており、キャップ５の一端にはパネル４が固定されている。そのため、クランク部１０ａによってキャップ押さえ６がＸ方向に移動すると同時にパネル４も本体カバー３から離反する方向（Ｘ方向）へと移動する。
【００３４】
パネル４がＸ方向へ移動することで、本体カバー３を覆うパネル４が本体カバー３から離反することになるため、本体カバー３とパネル４との間に空間（隙間）が現われる。この空間（隙間）が生ずることによって、パネル４と本体カバー３との間には通気口２ａ、及び通気口３ａが開放状態になるため、外気が室内へと導入される（図６の実線の矢印参照）。
【００３５】
なお、キャップ５内には付勢部材１２が収納されているが、この付勢部材１２は上述したようにパネル４をＹ方向へと付勢する。従って、パネル４をＸ方向へと移動させるには、操作部材１０は付勢力よりも大きな力でキャップ押さえ６を押しつける必要がある。
【００３６】
上述したようにフィルタ７にはキャップ５及びキャップ押さえ６を通すための貫通孔７ａが形成されている。従って、特に何の手当もしないとパネル４が開いて室内に外気が導入される際にこの貫通孔７ａとキャップ５の隙間から塵芥等が室内に侵入する可能性がある。そこで、本発明の実施の形態においては、フィルタ７の貫通孔７ａの大きさをほぼキャップ５の寸法ｈ（図６参照）と同じ大きさとし、貫通孔７ａよりも大きな寸法Ｈ（Ｈ＞ｈ）をもつキャップ押さえ６を用いることによって貫通孔７ａとキャップ５との隙間を完全に塞ぐことができるようにされている。
【００３７】
すなわち、操作部材１０がパネル４を本体カバー３から離反させる方向（Ｘ方向）へ移動させる際、キャップ押さえ６のつば６ａがフィルタ７を通気口３ａとの間で押しつぶしながらＸ方向へと移動する。そのため、貫通孔７ａの周囲においてもつば６ａと通気口３ａとの間にフィルタ７が存在する。しかもフィルタ７はつば６ａと通気口３ａによって圧縮されてフィルタ７の目が細かくなる。従って、室外から室内へと外気が導入されても貫通孔７ａとキャップ５との隙間を通る塵芥等の侵入を確実に防止することができる。
【００３８】
なお、つば６ａを含めたキャップ押さえ６の大きさ（図６に示す寸法Ｈ）はあまり大きくすると室内への給気量が減ることになるため、その大きさＨは給気量と塵芥等の侵入防止との兼ね合いによって決定される。
【００３９】
また、フィルタ７は取り付け、取り外しの際に、貫通孔７ａよりも面積の大きいつば６ａを通過させなければならないが、フィルタ７そのものが柔軟性を有するため、つば６ａが貫通孔７ａを通過する時に貫通孔７ａを押し開くことで貫通させることができる。
【００４０】
パネル４がＹ方向に移動し、本体カバー３に当接することで空間（隙間）が閉じられると、キャップ押さえ６のつば６ａによって押しつぶされていたフィルタ７も元の状態に復元し図３に示す状態となる。なお、フィルタ７の材質を不織布としたが、圧縮が可能でかつ塵芥等の通過を防止できるスポンジ等でも良い。
【００４１】
以上説明したように、室内外の通気の途中にフィルタを設けるとともにフィルタに設けられている貫通孔を確実に塞ぐことのできるキャップ押さえを備えることで、室内に外気を給気する際の塵芥等の侵入を確実に防ぎ、さらにはより効果的に外気侵入防止、遮音を図ることのできる給気シャッターを提供することができる。
【００４２】
なお、この発明は、上記実施の形態そのままに限定されるものではなく、実施段階ではその要旨を逸脱しない範囲で構成要素を変形して具体化できる。例えば、上記実施の形態においては、自然給気、すなわち室内の負圧を利用して室外の空気を室内に供給する給気シャッターで説明したが、配管ダクトＤ内に、給気ファン及びこのファンを回転駆動させるファンモータを設け、ファンが回転することによって外気が室内へと強制的に導入（給気）されるようにしても良い。
【００４３】
また、上記実施の形態に開示されている複数の構成要素を適宜組み合わせることにより種々の発明を形成できる。例えば、実施の形態に示される全構成要素から幾つかの構成要素を削除してもよい。更に、異なる実施の形態に亘る構成要素を適宜組み合わせてもよい。
【符号の説明】
【００４４】
１…給気シャッター、２…本体、２ａ…通気口、２ｂ…突起、２ｃ…シール材、３…本体カバー、３ａ…通気口、３ｂ…嵌め合わせ部材、３ｃ…本体カバー側リブ、４…パネル、４ａ…凸部、５…キャップ、５ａ…固定部、５ｂ…可動部、６…キャップ押さえ、６ａ…つば、７…フィルタ、８…フィルタ押さえ、９ａ…固定部材、９ｂ…固定部材、１０…操作部材、１０ａ…クランク部、１１…パネル開閉用モータ、１２…付勢部材、Ｄ…配管ダクト、Ｗ…壁
【図１】
2010249368.tif 000003
【図２】
2010249368.tif 000004
【図３】
2010249368.tif 000005
【図４】
2010249368.tif 000006
【図５】
2010249368.tif 000007
【図６】
2010249368.tif 000008